(57)【特許請求の範囲】
【請求項１】
アクセスポイントと無線通信を行う無線ローカルエリアネットワーク機器であって、
無線ローカルエリアネットワーク機器の配下の端末台数を判定する判定部と、
前記判定部の判定結果が１台である場合に第１のモードに設定し、前記判定部の判定結果が複数台である場合に第２のモードに設定するモード設定部と、を含むことを特徴とする無線ローカルエリアネットワーク機器。
【請求項２】
前記モード設定部は、前記判定部の判定結果が０台である場合に第２のモードに設定することを特徴とする請求項１記載の無線ローカルエリアネットワーク機器。
【請求項３】
前記第１のモードは、シングルクライアントモードであって、前記第２のモードはマルチクライアントモードであることを特徴とする請求項１または２に記載の無線ローカルエリアネットワーク機器。
【請求項４】
異なる伝送物理媒体に変換する変換部をさらに含むことを特徴とする請求項１から３のいずれか１項に記載の無線ローカルエリアネットワーク機器。
【請求項５】
前記判定部は、起動時に前記判定を行うことを特徴とする請求項１から４のいずれか１項に記載の無線ローカルエリアネットワーク機器。
【請求項６】
前記判定部は、所定間隔で前記判定を行うことを特徴とする請求項１から４のいずれか１項に記載の無線ローカルエリアネットワーク機器。
【請求項７】
前記モード設定部の各モードを表示する表示部をさらに含むことを特徴とする請求項１から６のいずれか１項に記載の無線ローカルエリアネットワーク機器。
【請求項８】
前記モード設定部の各モードを切り替えるスイッチ部をさらに含むことを特徴とする請求項１から７のいずれか１項に記載の無線ローカルエリアネットワーク機器。
【発明の詳細な説明】
【技術分野】
【０００１】
本発明は、アクセスポイントと無線通信を行う無線ローカルエリアネットワーク機器（以下、無線ＬＡＮ機器と呼ぶ）に関する。
【背景技術】
【０００２】
従来から、アクセスポイントと無線通信を行う無線ローカルエリアネットワーク機器が開発されている。特許文献１には、パケットの盗聴を目的とした偽アクセスポイントを設置された場合でも、その不正なアクセスポイントを見抜いて接続を避ける無線ＬＡＮ機器について開示されている。
【０００３】
特許文献１記載の無線ＬＡＮ機器は、アクセスポイントの発する信号を受信する受信手段と、該受信手段が複数のアクセスポイントの発する信号を受信して、各々の前記信号から識別情報を抽出して同一の識別情報を持つアクセスポイントが少なくとも２つ以上見つかり、その中の１つのアクセスポイントに機器が接続しようとする場合、前記アクセスポイントが所定の条件に合致するならば、前記アクセスポイントに対して少なくとも自動的に無線ＬＡＮ接続をしないよう通常の接続を抑制する接続抑制手段と、を有するものである。
【先行技術文献】
【特許文献】
【０００４】
【特許文献１】特開２００８−７２４０２号公報
【発明の概要】
【発明が解決しようとする課題】
【０００５】
特許文献１記載の無線ＬＡＮ機器では、不正な偽アクセスポイントを判定することができる。しかしながら、近年、無線ＬＡＮ機器の配下に多数の端末を配置させて通信を行うマルチクライアントモードが多く使用されるようになってきている。また、従来から使用されてきたシングルクライアントモードも引き続き、使用されている。
現在では、無線ＬＡＮ機器の設定画面にアクセスをして、手動によりマルチクライアントモードおよびシングルクライアントモードの切り替えが行われている。
【０００６】
本発明の目的は、自動でモード設定を行うことができる無線ＬＡＮ機器を提供することである。
【課題を解決するための手段】
【０００７】
（１）
一局面に従う無線ローカルエリアネットワーク機器は、アクセスポイントと無線通信を行う無線ローカルエリアネットワーク機器であって、無線ローカルエリアネットワーク機器の配下の端末台数を判定する判定部と、判定部の判定結果が１台である場合に第１のモードに設定し、判定部の判定結果が複数台である場合に第２のモードに設定するモード設定部と、を含むものである。
【０００８】
判定部により無線ローカルエリアネットワーク機器の配下の端末台数を判定する。判定結果が１台である場合にモード設定部により第１のモードに設定され、判定結果が複数台である場合にモード設定部により第２のモードに設定される。
【０００９】
この場合、自動的に判定部が配下の端末台数に応じて第１または第２のモードを設定するので、手動でモードを設定する必要がなくなる。その結果、ユーザの利便性を向上させることができる。
【００１０】
（２）
第２の発明に係る無線ローカルエリアネットワーク機器は、一局面に従う無線ローカルエリアネットワーク機器において、モード設定部は、判定部の判定結果が０台である場合に第２のモードに設定してもよい。
【００１１】
この場合、判定部が０台であると判定することは、これから無線ローカルエリアネットワーク機器の配下に端末が接続される状態と考えられ、第２のモードに設定することで、ユーザの利便性を高めることができる。
【００１２】
（３）
第３の発明に係る無線ローカルエリアネットワーク機器は、一局面または第２の発明に係る無線ローカルエリアネットワーク機器において、第１のモードは、シングルクライアントモードであって、第２のモードはマルチクライアントモードであってもよい。
【００１３】
この場合、第１のモードは、シングルクライアントモードであるので、接続台数が１台の場合に、ユーザの知識を必要とすることなく接続を行うことができる。また、第２のモードは、マルチクライアントモードであるので、接続台数が１台ではなく、０台または複数台の場合に、ユーザの知識を必要とすることなく接続を行うことができる。
【００１４】
（４）
第４の発明に係る無線ローカルエリアネットワーク機器は、一局面、第２または第３の発明に係る無線ローカルエリアネットワーク機器において、異なる伝送物理媒体に変換する変換部をさらに含んでもよい。
【００１５】
この場合、変換部により内部でパケット変換を行うことができる。例えば、異なる伝送物理媒体に変換するメディアコンバータで変換することができる。
【００１６】
（５）
第５の発明に係る無線ローカルエリアネットワーク機器は、一局面、第２、第３または第４の発明に係る無線ローカルエリアネットワーク機器において、判定部は、起動時に判定を行ってもよい。
【００１７】
この場合、判定部は、起動時に判定を行うので、確実にモード設定を行うことができる。
【００１８】
（６）
第６の発明に係る無線ローカルエリアネットワーク機器は、一局面、第２、第３または第４に係る無線ローカルエリアネットワーク機器において、判定部は、所定間隔で判定を行ってもよい。
【００１９】
この場合、判定部は、所定間隔で判定を行うので、配下の端末の接続状況が変更された場合であっても、確実にモード設定を行うことができる。例えば、所定間隔とは、分単位であってもよい。
【００２０】
（７）
第７の発明に係る無線ローカルエリアネットワーク機器は、一局面、第２から第６の発明に係る無線ローカルエリアネットワーク機器において、モード設定部の各モードを表示する表示部をさらに含んでもよい。
【００２１】
この場合、表示部によりモード設定部の各モードが表示されるので、ユーザが容易に無線ローカルエリアネットワーク機器のモードを認識することができる。
【００２２】
（８）
第８の発明に係る無線ローカルエリアネットワーク機器は、一局面、第２から第７の発明に係る無線ローカルエリアネットワーク機器において、モード設定部の各モードを切り替えるスイッチ部をさらに含んでもよい。
【００２３】
この場合、スイッチ部によりモード設定部の各モードを切り替えることができるので、ユーザが容易に無線ローカルエリアネットワーク機器のモードを切り替えることができる。
【図面の簡単な説明】
【００２４】
【図１】本実施の形態に係る無線ＬＡＮメディアコンバータの一例を示す模式図である。
【図２】本実施の形態に係るシングルクライアントモードを説明するための模式図である。
【図３】本実施の形態に係るマルチクライアントモードを説明するための模式図である。
【図４】本実施の形態に係るマルチクライアントモードを説明するための模式図である。
【図５】本実施の形態に係る判定部の動作の一例を示すフローチャートである。
【発明を実施するための形態】
【００２５】
以下、本発明の実施の形態を図面を参照して説明する。本発明の好ましい一実施の形態は、以下の通りであるが、本発明は以下の実施の形態だけに制限されるものではない。
【００２６】
（実施の形態）
図１は、本実施の形態に係る無線ローカルエリアネットワーク（以下、ＬＡＮと略記する。）メディアコンバータ１００の一例を示す模式図である。
【００２７】
（無線ＬＡＮメディアコンバータの概略構成）
図１の無線ＬＡＮメディアコンバータ１００は、判定部１１０、モード設定部１２０、メディア変換部１３０、無線送受信部１４０、有線接続部１５０，１５１、表示部１６０およびスイッチ部１７０を含む。
【００２８】
図１に示すように、無線ＬＡＮメディアコンバータ１００では、有線接続部１５０，１５１の２個の有線接続端子が設けられている。
判定部１１０は、有線接続部１５０，１５１の有線接続端子を介して、配下の端末台数の判定を行う。ここで、判定部１１０は、内蔵されたＭＡＣアドレスおよびＩＰアドレスに関連性のあるレイア２ＮＡＴテーブルに基づいて端末台数の判定を行う。
【００２９】
また、判定部１１０は、後述するように、端末台数の判定結果をモード設定部１２０に与え、モード設定部１２０は、メディア変換部１３０および無線送受信部１４０にシングルクライアントモードおよびマルチクライアントモードのいずれか一方を設定する。
無線送受信部１４０およびメディア変換部１３０は、モード設定部１２０により設定されたシングルクライアントモードおよびマルチクライアントモードのいずれか一方に従い、無線送受信部１４０により受信されたパケットを異なる伝送物理媒体に変換して有線接続部１５０，１５１に与える。なお、判定部１１０の動作詳細については後述する。
【００３０】
また、表示部１６０は、無線ＬＡＮメディアコンバータ１００の外観から視認できる部位に設けられ、例えば、ＬＥＤ点灯部からなる。表示部１６０は、後述するシングルクライアントモードまたはマルチクライアントモード、自動または手動のそれぞれの組み合わせが判別できるように点灯される。なお、４個のＬＥＤを必要とするものではなく、色または点灯方式によって判別できてもよい。
【００３１】
スイッチ部１７０は、無線ＬＡＮメディアコンバータ１００の外観から操作できる部位に設けられ、後述するシングルクライアントモードまたはマルチクライアントモード、自動または手動のそれぞれの組み合わせを切り替えることができるディップスイッチからなる。
【００３２】
なお、上記の表示部１６０においては、ＬＥＤ点灯部からなることとしたが、これに限定されず、液晶表示部等、その他の任意の装置、その他任意の個数からなってもよい。また、スイッチ部１７０は、ディップスイッチからなることとしたが、これに限定されず、タッチパネル、その他任意のスイッチ等、その他任意の個数からなってもよい。
【００３３】
（シングルクライアントモード／マルチクライアントモードの概略）
続いて、図２は本実施の形態に係るシングルクライアントモードを説明するための模式図であり、図３および図４は本実施の形態に係るマルチクライアントモードを説明するための模式図である。
【００３４】
図２に示すように、シングルクライアントモードは、無線ＬＡＮメディアコンバータ１００の配下にパーソナルコンピュータ３００が１台接続されており、無線ＬＡＮメディアコンバータ１００がアクセスポイント２００と無線通信を行う。
【００３５】
また、図３に示すように、マルチクライアントモードは、無線ＬＡＮメディアコンバータ１００の配下にパーソナルコンピュータ３００，３０１が２台接続されており、無線ＬＡＮメディアコンバータ１００がアクセスポイント２００と無線通信を行う。
【００３６】
さらに、図４に示すように、マルチクライアントモードは、無線ＬＡＮメディアコンバータ１００の配下にハブ３１０が接続されており、ハブ３１０の配下にパーソナルコンピュータ３００，３０１が２台接続されており、無線ＬＡＮメディアコンバータ１００がアクセスポイント２００と無線通信を行う。
【００３７】
（判定部の動作詳細）
図５は、本実施の形態に係る判定部１１０の動作の一例を示すフローチャートである。
【００３８】
判定部１１０は、無線ＬＡＮメディアコンバータ１００の起動時に図５に示す処理を行う。判定部１１０は、まずクライアントモードの判定を行う（ステップＳ１）。ここで、具体的に判定部１１０は、手動か自動かの判定を行い、手動の場合には、マルチクライアントモードかシングルクライアントモードかの判定を行う。
【００３９】
判定部１１０が、手動によるマルチクライアントモードと判定した場合には、マルチクライアントモードで起動するようモード設定部１２０に指示を与える（ステップＳ３）。
一方、判定部１１０が手動によるシングルクライアントモードと判定した場合には、シングルクライアントモードで起動するようモード設定部１２０に指示を与える（ステップＳ５）。
【００４０】
また、判定部１１０がステップＳ１の処理において、自動と判定した場合、有線接続部１５０，１５１のＬＡＮポートの接続台数を判定する（ステップＳ２）。
ここで、判定部１１０は、内蔵されたＭＡＣアドレスおよびＩＰアドレスに関連性のあるレイア２ＮＡＴテーブルに基づいてＬＡＮポートの接続台数を判定する。
【００４１】
判定部１１０がＬＡＮポートの接続台数が０台または２台以上であると判定した場合、ステップＳ３の処理に進む。一方、判定部１１０がＬＡＮポートの接続台数が１台であると判定した場合、ステップＳ５の処理に進む。
【００４２】
ステップＳ３の処理を行った判定部１１０は、続いて、ＬＡＮポートの状態に変更があるか否かを判定する（ステップＳ４）。ここで、判定部１１０は、ＬＡＮポートの状態に変更があると判定した場合、ステップＳ２の処理に戻り、処理を繰り返す。
【００４３】
一方、ステップＳ４の処理において、判定部１１０がＬＡＮポートの状態に変更がないと判定した場合、ステップＳ４の処理を繰り返す。すなわち、変更があると判定されるまで待機する。
【００４４】
続いて、ステップＳ５の処理を行った判定部１１０は、ＭＡＣアドレスのクローン化を行う（ステップＳ６）。これにより、無線ＬＡＮメディアコンバータ１００における通信が確立される。
【００４５】
続いて、判定部１１０は、ＬＡＮポートの状態に変更があるか否かを判定する（ステップＳ７）。判定部１１０がＬＡＮポートの状態に変更があると判定した場合、０ポートか否かを判定する（ステップＳ８）。
【００４６】
判定部１１０がＬＡＮポートの接続台数の状態が０ポートであると判定した場合には、ステップＳ７の処理に戻る。すなわち、ＭＡＣアドレスをクローン化しているため、判定部１１０がＬＡＮポートの接続台数の状態が０ポートであると判定するからである。
【００４７】
一方、判定部１１０がＬＡＮポートの接続台数の状態が０ポートでないと判定した場合、ＭＡＣアドレスのクローン化処理が済みであるか否かを判定する（ステップＳ９）。
判定部１１０がＬＡＮポートの接続台数の状態が０ポートでなく、ＭＡＣアドレスのクローン化処理が済みでないと判定した場合、ステップＳ２の処理に戻り処理を繰り返す。
【００４８】
一方、判定部１１０がＬＡＮポートの接続台数の状態が０ポートでなく、ＭＡＣアドレスのクローン化処理が済んでいると判定した場合、クローン化したＭＡＣアドレスがレイア２ＮＡＴテーブルに在るか否かを判定する（ステップＳ１０）。
また、ステップＳ７の処理において、判定部１１０がＬＡＮポートの状態に変更がないと判定した場合にも、クローン化したＭＡＣアドレスがレイア２ＮＡＴテーブルに在るか否かを判定する（ステップＳ１０）。
【００４９】
判定部１１０は、クローン化したＭＡＣアドレスがレイア２ＮＡＴテーブルに在ると判定した場合、ステップＳ７の処理に戻り処理を繰り返す。
一方、判定部１１０がクローン化したＭＡＣアドレスがレイア２ＮＡＴテーブルにないと判定した場合、ステップＳ２の処理に戻り処理を繰り返す。
【００５０】
以上のように、本実施の形態に係る無線ＬＡＮメディアコンバータ１００は、自動的に判定部１１０が配下の端末台数に応じてモードを設定するので、手動でモードを設定する必要がなくなる。
また、判定部１１０が０台であると判定することは、これから無線ＬＡＮメディアコンバータ１００の配下に端末が接続される状態と考えられ、マルチクライアントモードに設定することで、ユーザの利便性を高めることができる。
【００５１】
具体的には、テレビ、ブルーレイプレーヤ等の家電製品での利用をするユーザで無線ＬＡＮ機器に関する知識が薄いユーザに対して、ワールドワイドウェブの設定画面での設定変更等を行わせるのではなく、ユーザが意図することなく自動的に無線ＬＡＮ機器の接続が行われるので、ユーザの利便性を高めることができる。
【００５２】
また、表示部１６０によりモード設定部１２０の各モードが表示され、スイッチ部１７０によりモード設定部１２０の各モードを切り替えることができるので、ユーザが容易に無線ＬＡＮメディアコンバータ１００の利便性を高めることができる。
【００５３】
なお、上記の実施の形態においては、無線ＬＡＮメディアコンバータ１００の起動時に配下の接続台数を判定することとしているが、これに限定されず、年月日時分秒単位、通常の通信状態におけるタイミングで判定を行ってもよい。また、分単位で判定を行うことが好ましい。
また、判定のタイミングとして、配下の接続台数が増減、すなわち接続遮断時、再接続時等、ダイナミックなタイミングで判定を行い、モードを切り替えてもよい。
【００５４】
また、判定部１１０においてＭＡＣアドレスおよびＩＰアドレスに関連性のあるレイア２ＮＡＴテーブルを用いることとしたが、これに限定されず、ＡＲＰテーブル、ＭＡＣテーブル、ＩＰテーブル、有線接続部１５０，１５１の差込口のチップによる信号（物理的なリンク数）のいずれか１つまたは複数の組み合わせ、または任意のパケット宛先情報テーブルを用いてもよい。
【００５５】
本実施の形態においては、アクセスポイント２００がアクセスポイントに相当し、無線ＬＡＮメディアコンバータ１００が無線ローカルエリアネットワーク機器に相当し、パーソナルコンピュータ３００，３０１およびハブ３１０が配下の端末台数に相当し、判定部１１０が判定部に相当し、モード設定部１２０がモード設定部に相当し、シングルクライアントモードが第１のモードに相当し、マルチクライアントモードが第２のモードに相当し、メディア変換部１３０が変換部に相当し、表示部１６０が表示部に相当し、スイッチ部１７０がスイッチ部に相当する。
【符号の説明】
【００５６】
１００  無線ＬＡＮメディアコンバータ
１１０  判定部
１２０  モード設定部
１３０  メディア変換部
１６０  表示部
１７０  スイッチ部
２００  アクセスポイント
３００，３０１  パーソナルコンピュータ
３１０  ハブ
【図１】
0005851321.tif 000002
【図２】
0005851321.tif 000003
【図３】
0005851321.tif 000004
【図４】
0005851321.tif 000005
【図５】
0005851321.tif 000006